(57)【要約】【課題】水などの液体を浴びても、操作ノブと筒との間から容器内へ液体が浸入するのを防止する。【解決手段】スイッチ装置は、接点を収納する容器１０と、容器１０の上部に設けられた矩形枠状の筒２と、筒２の上端の開口２ａを塞ぎ、筒２に軸２ｊで揺動可能に支持され、揺動操作することにより接点を開閉する操作ノブ１と、操作ノブ１の揺動面に対して垂直な、筒２の両方の側壁２ｆ、２ｂ側に、該側壁２ｆ、２ｂの横幅に渡ってそれぞれ設けられたプランジャ３とを備える。各プランジャ３は、筒２の側壁２ｆ、２ｂから突出して、操作ノブ１の揺動状態に関わらず、該側壁２ｆ、２ｂとこれに対向する操作ノブ１の側壁１ｆ、１ｂに横幅に渡って線状に弾性接触する。【選択図】図７
2013178973.tif 000002
【特許請求の範囲】
【請求項１】
接点を収納する容器と、
前記容器の上部に設けられた矩形枠状の筒と、
前記筒の上端の開口を塞ぎ、前記筒に軸で揺動可能に支持され、揺動操作することにより前記接点を開閉する操作ノブと、
前記操作ノブの揺動面に対して垂直な、前記筒の両方の側壁側に、該側壁の横幅に渡ってそれぞれ設けられたプランジャと、を備え、
前記各プランジャは、前記筒の側壁とこれに対向する前記操作ノブの側壁のうち、一方から突出して、前記操作ノブの揺動状態に関わらず、他方に横幅に渡って線状に弾性接触する、ことを特徴とするスイッチ装置。
【請求項２】
請求項１に記載のスイッチ装置において、
前記操作ノブの揺動面に対して平行な前記筒の側壁と前記操作ノブの側壁とは、該筒の側壁の横幅に渡って線状に接する、ことを特徴とするスイッチ装置。
【請求項３】
請求項１または請求項２に記載のスイッチ装置において、
前記各プランジャは、前記軸の水平中心線上に平行に設けられていて、
一方の前記プランジャの接触力と、他方の前記プランジャの接触力の、それぞれの作用方向が反対になっている、ことを特徴とするスイッチ装置。
【請求項４】
請求項１ないし請求項３のいずれかに記載のスイッチ装置において、
前記各プランジャが弾性接触する前記筒の側壁または前記操作ノブの側壁に、前記操作ノブの揺動に伴って前記プランジャと擦れることにより、節度感を生じさせる節度部を設けた、ことを特徴とするスイッチ装置。
【請求項５】
請求項１ないし請求項４のいずれかに記載のスイッチ装置において、
前記操作ノブは、前記筒に上側から覆い被さっていて、
前記各プランジャは、前記操作ノブの揺動面に対して垂直な、前記筒の側壁の外側面から突出して、該外側面に対向する前記操作ノブの側壁の内側面に線状に弾性接触する、ことを特徴とするスイッチ装置。
【請求項６】
請求項５に記載のスイッチ装置において、
前記操作ノブが接触することにより、前記操作ノブの揺動量を制限する制限壁を設け、
前記操作ノブの前記制限壁に対する接触力と、前記プランジャの前記操作ノブに対する接触力の、それぞれの作用方向が反対になっている、ことを特徴とするスイッチ装置。
【発明の詳細な説明】
【技術分野】
【０００１】
本発明は、操作ノブを操作することにより、接点が開閉するスイッチ装置の防水構造に関するものである。
【背景技術】
【０００２】
操作ノブを操作することにより、接点が開閉するスイッチ装置には、操作フィーリングを向上させるため、操作ノブの操作時に節度感（クリック感）を生じさせる構造を備えたものがある。
【０００３】
たとえば特許文献１では、スイッチボディーに操作ノブを揺動可能に取り付け、操作ノブの下方のスイッチボディー上面に、Ｖ字状の節度面部とストッパを設けている。また、操作ノブの下面から突出する筒部にコイルばねとボールを設けて、コイルばねによりボールを節度面部に弾性接触させている。操作ノブを揺動操作することにより、節度子が節度面部を摺動して、節度感が発生する。
【０００４】
また、たとえば特許文献２では、容器（支持部材）内の支持体の壁部に斜めにカム面を設け、支持体に回転体を軸で揺動可能に支持させ、回転体の上方へ突出する突部に操作ノブを固定している。また、回転体の斜め下方へ突出する円筒状の付勢部に、コイルばねとホルダを設けて、コイルばねによりホルダの先端のボールをカム面に弾性接触させている。操作ノブと回転体を揺動操作することにより、ボールがカム面を摺動して、節度感が発生する。
【０００５】
また、たとえば特許文献３では、矩形状の容器（ベース部）内に操作ノブ（トグル部）を配置して、操作ノブを容器にピンで揺動可能に支持させている。また、開口部を有するプレート状のクリック部材を、操作ノブの揺動面に対して垂直な容器の側壁と操作ノブの側面との間に連結している。さらに、操作ノブにコイルばねとボールを設けて、コイルばねによりボールをクリック部材に弾性接触させている。操作ノブを揺動操作することにより、ボールがクリック部材を摺動して、開口部に係合し、節度感が発生する。
【０００６】
また、たとえば特許文献４では、矩形枠状の筒を容器（ケーシング）の上部に設け、該筒の上端の開口を塞ぐように、操作ノブを筒に軸で揺動可能に支持させている。また、操作ノブの揺動面に対して垂直な、筒の両方の側壁の傍に、板状の駆動部を設け、各駆動部の下端を作動板で支持し、各駆動部の上端を操作ノブの内側のリブに当接させている。さらに、作動板の下方に、接点を覆ったクリックゴムを設けている。操作ノブを揺動操作することにより、駆動部がリブに押下されて、作動板が弾性変形し、クリックゴムが座屈変形して、節度感が発生する。
【０００７】
さらに、たとえば特許文献５では、容器（ハウジングカバー）の上部をシリコンゴム製のスイッチカバーで覆い、スイッチカバーの弾性撓み部で接点を覆っている。また、容器の上方にパネルを取り付け、パネルの取付孔の内側に操作ノブを軸で揺動可能に取り付けている。さらに、操作ノブの下方へ突出する両方の作動部を、スイッチカバーの弾性撓み部上に当接させている。操作ノブを揺動操作することにより、作動部が弾性撓み部を座屈変形させて、節度感が発生する。
【０００８】
ところで、スイッチ装置の容器内には、電気的な接点や回路が設けられているため、水など（その他の液体を含む。）が浸入すると、接点や回路が短絡して誤動作したり、腐食や故障が発生したりする。
【０００９】
たとえば、特許文献１のような構造では、操作ノブやスイッチボディーに水浸入防止策が講じられていないので、水を浴びると、水が容易に接点に到ってしまう。また、特許文献２のような構造では、水が、操作ノブと容器（支持部材）との間と、支持体の孔を通って、容器内に容易に浸入してしまう。また、特許文献３のような構造でも、水が、操作ノブと容器の端部壁との間から、容器内に容易に浸入してしまう。
【００１０】
また、特許文献５のような構造では、水が、パネルと操作ノブの間から浸入した後、スイッチカバーを伝って流れ、容器の側面の合わせ目からハウジング内に浸入するおそれがある。
【００１１】
一方、特許文献４のような構造では、筒の側壁が容器内への浸水を防ぐように機能する。しかしながら、操作ノブの揺動面に対して垂直な、筒の両方の側壁と操作ノブの両方の側壁との間には、操作ノブが揺動する際のスペースを確保するために、所定の間隔が設けられている。このため、水が、前記操作ノブの側壁と筒の側壁との間を上昇して、筒の側壁と駆動部との隙間や、駆動部の上端の段差と操作ノブのリブとの間を通って、容器内に浸入してしまう。
【００１２】
特に、操作ノブが揺動するときには、駆動部と操作ノブの内面やリブが離間して、その間隔が大きくなって行くので、水が駆動部を越えて、筒の内側を通り、容器内に浸入するおそれがある。
【先行技術文献】
【特許文献】
【００１３】
【特許文献１】特開２００２−７５１２８号公報
【特許文献２】特開２００６−２１０２２１号公報
【特許文献３】特開２００４−５１０８９号公報
【特許文献４】特開２００４−１４６０６９号公報
【特許文献５】特開平８−２９３２２２号公報
【発明の概要】
【発明が解決しようとする課題】
【００１４】
本発明の課題は、水などの液体を浴びても、操作ノブと筒との間から容器内へ液体が浸入するのを防止することができるスイッチ装置を提供することである。
【課題を解決するための手段】
【００１５】
本発明によるスイッチ装置は、接点を収納する容器と、容器の上部に設けられた矩形枠状の筒と、筒の上端の開口を塞ぎ、筒に軸で揺動可能に支持され、揺動操作することにより接点を開閉する操作ノブと、操作ノブの揺動面に対して垂直な、筒の両方の側壁側に、該側壁の横幅に渡ってそれぞれ設けられたプランジャとを備える。各プランジャは、前記筒の側壁とこれに対向する操作ノブの側壁のうち、一方から突出して、操作ノブの揺動状態に関わらず、他方に横幅に渡って線状に弾性接触する。
【００１６】
上記によると、操作ノブの揺動面に対して垂直な、操作ノブの両方の側壁と筒の両方の側壁との間にそれぞれ設けられたプランジャが、操作ノブと筒との間を通って筒の上端の開口へ到る水の浸入を遮断するので、水を浴びても、容器内への浸水を防止することができる。
【００１７】
また、本発明では、上記スイッチ装置において、操作ノブの揺動面に対して平行な筒の側壁と操作ノブの側壁とは、該筒の側壁の横幅に渡って線状に接していてもよい。
【００１８】
また、本発明では、上記スイッチ装置において、各プランジャは、前記軸の水平中心線上に平行に設けられていて、一方のプランジャの接触力と、他方のプランジャの接触力の、それぞれの作用方向が反対になっていてもよい。
【００１９】
また、本発明では、上記スイッチ装置において、各プランジャが弾性接触する筒の側壁または操作ノブの側壁に、操作ノブの揺動に伴ってプランジャと擦れることにより、節度感を生じさせる節度部を設けてもよい。
【００２０】
また、本発明では、上記スイッチ装置において、操作ノブは、筒に上側から覆い被さっていて、各プランジャは、操作ノブの揺動面に対して垂直な、筒の側壁の外側面から突出して、該外側面に対向する操作ノブの側壁の内側面に線状に弾性接触していてもよい。
【００２１】
さらに、本発明では、上記スイッチ装置において、操作ノブが接触することにより、操作ノブの揺動量を制限する制限壁を設け、操作ノブの制限壁に対する接触力と、プランジャの操作ノブに対する接触力の、それぞれの作用方向が反対になっていてもよい。
【発明の効果】
【００２２】
本発明によれば、水などの液体を浴びても、操作ノブと筒との間から容器内へ液体が浸入するのを防止できるスイッチ装置を提供することが可能となる。
【図面の簡単な説明】
【００２３】
【図１】本発明の実施形態によるスイッチ装置の分解斜視図である。
【図２】図１のスイッチ装置の組立斜視図である。
【図３】図１のスイッチ装置の上面図である。
【図４】図１のスイッチ装置の側面図である。
【図５】図４のＹ−Ｙ断面図である。
【図６】図１のスイッチ装置の筒近傍の斜視図である。
【図７】図３のＸ−Ｘ断面図である。
【図８】図１のスイッチ装置の操作ノブ近傍の拡大図である。
【図９】図１のスイッチ装置の接点の開閉状態を示した図である。
【図１０】他の実施形態を示した断面図である。
【図１１】他の実施形態を示した断面図である。
【発明を実施するための形態】
【００２４】
以下、本発明の実施形態につき、図面を参照しながら説明する。各図において、同一の部分または対応する部分には、同一符号を付してある。
【００２５】
図１〜図４に示す、本発明の実施形態によるスイッチ装置１００は、自動車のパワーウインドウシステムで用いられ、たとえば、助手席のドアに設置されたアームレスト（図示省略）に取り付けられる。スイッチ装置１００には、ウインドウスイッチＷとドアロックスイッチＤとが設けられている。
【００２６】
スイッチ装置１００の容器１０は、図１に示すように、ケース１０ａとカバー１０ｂから構成されている。ケース１０ａの下側は開口していて、カバー１０ｂを嵌め合わせることにより塞がれる。容器１０内には、基板１１、ライトガイド１２、およびストライカ５が収納される。
【００２７】
基板１１には、複数の固定接点７ａ〜７ｅ、ＬＥＤ（発光ダイオード）１３、およびその他のスイッチやコネクタなどの電子部品（図示省略）が実装され、これらによって電気回路が形成されている。ストライカ５には、図９に示すように、板ばねから成る複数の可動接点６ａ〜６ｃが設けられている。
【００２８】
図１に示すライトガイド１２は、アクリル樹脂などの光透過性樹脂の成形品から成る。ライトガイド１２は、ＬＥＤ１３が発した光をウインドウスイッチＷの表示部１ｅとドアロックスイッチＤの表示部２１ｅ、２１ｆまで導く。
【００２９】
容器１０の上部には、矩形枠状の筒２、２２がケース１０ａと一体で設けられている。筒２２の外側面に設けられた各軸２２ｊ（図１〜図３）を、ドアロックスイッチＤの操作ノブ２１の側面に設けられた各孔２１ｇ（図１、図２、および図４）に嵌め込む。すると、図１〜図４に示すように、操作ノブ２１が、筒２２の上端の開口を塞ぎ、筒２２に軸２２ｊで揺動可能に支持される。
【００３０】
筒２の内側面に設けられた各軸２ｊ（図１、図５、および図６）を、ウインドウスイッチＷの操作ノブ１の内側に設けられた各孔１ｇ（図５）に嵌め込む。すると、図５および図７などに示すように、操作ノブ１が、筒２の上端の開口２ａを塞ぎ、筒２に軸２ｊで揺動可能に支持される。すなわち、操作ノブ１が筒２に上側から覆い被さるように取り付けられる。
【００３１】
筒２の内側には、小円筒部２ｔが設けられている（図５〜図７）。小円筒部２ｔの内側には、ライトガイド１２の突出部１２ａが貫通している。小円筒部２ｔの下端側の外周面には、ストライカ５の円弧部５ｂ（図５、図７、および図９）が係合されている。ストライカ５は、基板１１上の固定接点７ａ〜７ｅの近傍に載置されている。
【００３２】
操作ノブ１の内側には、レバー８が設けられている（図１、図５、図７、および図９）。レバー８は、筒２の内側を貫通している。レバー８の下端に設けられた凹部８ａは、ストライカ５に設けられた凸部５ａと係合している。
【００３３】
操作ノブ１を、図７（ａ）および図９（ａ）に示す中立状態から、図７（ｂ）〜（ｅ）および図９（ｂ）、（ｃ）に示すように軸２ｊを中心に揺動操作すると、レバー８が傾斜して、ストライカ５を小円筒部２ｔの外周面に沿って回動させる。これにより、ストライカ５に設けられた可動接点６ａ〜６ｃが基板１１上を摺動して、固定接点７ａ〜７ｅに対して接離する。すなわち、操作ノブ１を揺動操作することにより、可動接点６ａ〜６ｃと固定接点７ａ〜７ｅが開閉（ＯＦＦ・ＯＮ）する。
【００３４】
操作ノブ１の揺動面（図７では、軸２ｊの中心軸と直交する面）に対して垂直な、筒２の両方の側壁２ｆ、２ｂ側には、プランジャ３がそれぞれ設けられている。各プランジャ３は、樹脂で形成されていて、図６に示すように、筒２の側壁２ｆ、２ｂの横幅に渡る幅を有している。すなわち、各プランジャ３の横幅は、側壁２ｆ、２ｂの横幅以上になっている。
【００３５】
筒２の側壁２ｆ、２ｂには、図１および図６に示すように、横幅に渡って溝２ｋが設けられている。各溝２ｋ内にコイルばね４とともにプランジャ３を挿入してから、前述したように筒２に操作ノブ１を取り付ける。すると、図７に示すように、各プランジャ３が、コイルばね４の弾性力により、筒２の側壁２ｆ、２ｂから突出して、該側壁２ｆ、２ｂに対向する操作ノブ１の側壁１ｆ、１ｂに、横幅に渡って線状に弾性接触する。この弾性接触状態は、図７（ａ）〜（ｅ）に示すように、操作ノブ１の揺動状態に関わらず保持される。これにより、各プランジャ３は、遮水壁として機能する。
【００３６】
また、各プランジャ３は、軸２ｊの水平中心線Ｌ上に平行に設けられている。操作ノブ１に対する、一方のプランジャ３の接触力と他方のプランジャ３の接触力の作用方向は、図７（ａ）で太矢印で示すように、反対になっている。  
【００３７】
操作ノブ１の側壁１ｆ、１ｂには、節度部１ｓがそれぞれ設けられている。節度部１ｓは、谷部１ｒ、１ｖと山状の傾斜部１ｐ、１ｑとで構成されている。操作ノブ１の揺動に伴って、プランジャ３と節度部１ｓとが擦れることにより、節度感（クリック感）が生じる。したがって、各プランジャ３は、節度子としても機能する。
【００３８】
詳しくは、図７（ａ）に示すように、操作ノブ１が中立状態にあるときは、各プランジャ３の先端が各節度部１ｓの谷部１ｒに係合している。この中立状態から、図７（ｂ）に示すように、操作ノブ１を前傾方向へ小さな角度で揺動操作すると、側壁２ｆ、１ｆ間のプランジャ３の先端が節度部１ｓの傾斜部１ｐに係合して、節度感が生じる。さらに、図７（ｃ）に示すように、操作ノブ１を前傾方向へ大きな角度で揺動操作すると、側壁２ｆ、１ｆ間のプランジャ３の先端が節度部１ｓの谷部１ｖを越えて傾斜部１ｑに係合して、節度感が生じる。
【００３９】
また、中立状態から、図７（ｄ）に示すように、操作ノブ１を後傾方向へ小さな角度で揺動操作すると、側壁２ｂ、１ｂ間のプランジャ３の先端が節度部１ｓの傾斜部１ｐに係合して、節度感が生じる。さらに、図７（ｅ）に示すように、操作ノブ１を後傾方向へ大きな角度で揺動操作すると、側壁２ｂ、１ｂ間のプランジャ３の先端が節度部１ｓの谷部１ｖを越えて傾斜部１ｑに係合して、節度感が生じる。
【００４０】
操作ノブ１の揺動面に対して平行な筒２の側壁２ｍ、２ｈの外側面には、図６に示すように、横幅に渡って凸部２ｎが設けられている。この凸部２ｎにより、図５に示すように、筒２の側壁２ｍ、２ｈとこれに対向する操作ノブ１の側壁１ｍ、１ｈとは、該筒２の側壁２ｍ、２ｈの横幅に渡って線状に接している。また、筒２の側壁２ｍ、２ｈと操作ノブ１の側壁１ｍ、１ｈの間には、防水用のグリスが塗布されている（図示省略）。
【００４１】
図２、図４、および図８などに示すように、操作ノブ１の側壁１ｍ、１ｈの下端には、凹部１ｚが設けられている。筒２の側壁２ｍ、２ｈの外側面の下端には、図６および図８に示すように、凸状の制限壁２ｚが設けられている。制限壁２ｚの上部は、凹部１ｚ内に入り込んでいる。
【００４２】
図８（ａ）に示す中立状態から、図８（ｂ）および（ｃ）に示すように、操作ノブ１を揺動操作すると、操作ノブ１の凹部１ｚの側端面が制限壁２ｚに接触し、操作ノブ１の揺動量が制限される。この際、操作ノブ１の制限壁２ｚに対する接触力と、プランジャ３の操作ノブ１の節度部１ｓに対する接触力の作用方向は、太矢印で示すように、反対になっている。
【００４３】
上記実施形態によると、操作ノブ１の揺動面に対して垂直な、筒２の両方の側壁２ｆ、２ｂ側に、該側壁２ｆ、２ｂの横幅に渡ってプランジャ３がそれぞれ設けられている。また、各プランジャ３は、筒２の側壁２ｆ、２ｂから突出して、操作ノブ１の揺動状態に関わらず、側壁２ｆ、２ｂに対向する操作ノブ１の側壁１ｆ、１ｂに横幅に渡って線状に弾性接触している。このため、操作ノブ１の側壁１ｆ、１ｂと筒２の側壁２ｆ、２ｂとの間を通って、筒２の上端の開口２ａへ到る水の浸入が、プランジャ３により遮断される。これにより、スイッチ装置１００が水を浴びても、容器１０内への浸水を防止することができる。
【００４４】
また、上記実施形態では、操作ノブ１の揺動面に対して平行な筒２の側壁２ｍ、２ｈと操作ノブ１の側壁１ｍ、１ｈとが、凸部２ｎにより側壁２ｍ、２ｈの横幅に渡って線状に接している。このため、筒２の側壁２ｍ、２ｈと操作ノブ１の側壁１ｍ、１ｈとの間を通って、筒２の上端の開口２ａへ到る水の浸入も遮断することができる。
【００４５】
また、上記実施形態では、各プランジャ３を軸２ｊの水平中心線Ｌ上に平行に設けて、一方のプランジャ３の接触力と他方のプランジャ３の接触力の作用方向を反対にしている。これにより、節度感を得るための操作ノブ１の揺動量が少なくて済む。このため、操作ノブ１や筒２の高さを低くして、スイッチ装置１００の低背化を図りつつ、プランジャ３により容器１０内への浸水を防止することができる。また、両方のプランジャ３の接触力が打ち消しあって、バランスが良くなり、操作ノブ１の操作性に影響を与えないようにすることができる。さらに、操作ノブ１の操作性を確保するための、各部の設計も容易になる。
【００４６】
また、上記実施形態では、各プランジャ３が弾性接触する操作ノブ１の側壁１ｆ、１ｂに節度部１ｓを設けている。このため、操作ノブ１の揺動操作時に節度感を発生させて、操作フィーリングを向上させつつ、操作解除時に操作ノブ１を中立状態に復帰させることができる。また、プランジャ３が遮水壁と節度子の両機能を併せ持つことから、従来のように筒や容器の内部空間に節度部や節度子を設ける必要がないので、筒２や容器１０の内部空間を別途有効利用することができる。
【００４７】
具体的には、上記実施形態では、筒２の内部にライトガイド１２やレバー８を設け、近傍の容器１０の内部にストライカ５や接点６ａ〜６ｃ、７ａ〜７ｅを設けている。このため、部品が密集して、スイッチ装置１００を小型化することができる。また、ドアロックスイッチＤでは、軸２２ｊと孔２１ｇが外側に露出した外嵌合構造で、操作ノブ２１を筒２２に取り付けているが、ウインドウスイッチＷでは、軸２ｊと孔１ｇが筒２と操作ノブ１の内側に設けられた内嵌合構造で、操作ノブ１を筒２に取り付けている。このため、操作ノブ１のクラックの発生や、操作ノブ１の側壁１ｍ、１ｈと筒２の側壁２ｍ、２ｈの間に塗布したグリスの滲みの発生を抑制することができる。
【００４８】
また、上記実施形態では、筒２の上側から操作ノブ１を覆い被せ、各プランジャ３を、筒２の側壁２ｆ、２ｂの外側面から突出させて、操作ノブ１の側壁１ｆ、１ｂの内側面に線状に弾性接触させている。このため、操作ノブ１の揺動面と平行な方向の操作ノブ１や筒２の幅を小さくすることができる。
【００４９】
さらに、上記実施形態では、操作ノブ１の制限壁２ｚに対する接触力と、プランジャ３の操作ノブ１に対する接触力の、それぞれの作用方向を反対にしている。このため、操作ノブ１の制限壁２ｚに対する接触力とプランジャ３の操作ノブ１に対する接触力とが打ち消し合って、操作ノブ１の揺動操作時に、操作ノブ１が制限壁２ｚに衝突して発生する衝突音を低減することができる。
【００５０】
本発明は、上述した以外にも種々の実施形態を採用することができる。たとえば、上記実施形態では、各プランジャ３を、操作ノブ１の揺動面に対して垂直な、筒２の側壁２ｆ、２ｂから突出させて、操作ノブ１の側壁１ｆ、１ｂに線状に弾性接触させる例を示したが、本発明はこれのみに限定するものではない。
【００５１】
たとえば、図１０に示すように、各プランジャ３を、操作ノブ１の揺動面に対して垂直な、操作ノブ１の側壁１ｆ、１ｂの内側面から突出させて、筒２の側壁２ｆ、２ｂの外側面に線状に弾性接触させるようにしてもよい。この場合、筒２の側壁２ｆ、２ｂの外側面に節度部１ｓを設ければ、操作ノブ１の揺動操作時に節度感を発生させることができる。
【００５２】
また、たとえば、図１１に示すように、各プランジャ３を、操作ノブ１の揺動面に対して垂直な、操作ノブ１の側壁１ｆ、１ｂの外側面から突出させて、筒２の側壁２ｆ、２ｂの内側面に線状に弾性接触させるようにしてもよい。また、プランジャ３を軸２ｊの水平中心線Ｌから外れた位置に設けるようにしてもよい。
【００５３】
また、プランジャ３を軸２ｊの水平中心線Ｌに対して斜めに設けるようにしてもよい。さらに、一方のプランジャ３を、操作ノブ１の側壁１ｆ、１ｂから突出させて、筒２の側壁２ｆ、２ｂに線状に弾性接触させ、他方のプランジャ３を、筒２の側壁２ｆ、２ｂから突出させて、操作ノブ１の側壁１ｆ、１ｂに線状に弾性接触させるようにしてもよい。
【００５４】
また、上記実施形態では、操作ノブ１の側壁１ｆ、１ｂに節度部１ｓを設けた例を示したが、節度部１ｓを省略してもよい。すなわち、プランジャ３を遮水壁としてのみ用いてもよい。この場合は、コイルばね４を省略し、プランジャ３をゴム等の弾性材料で形成して、プランジャ３をそれ自身の弾性力で、操作ノブ１の側壁１ｆ、１ｂに弾性接触させてもよい。
【００５５】
また、上記実施形態では、操作ノブ１の揺動面に対して平行な筒２の側壁２ｍ、２ｈと操作ノブ１の側壁１ｍ、１ｈとを、凸部２ｎにより側壁２ｍ、２ｈの横幅に渡って線状に接触させた例を示したが、本発明はこれのみに限定するものではない。これ以外に、たとえば、筒２の側壁２ｍ、２ｈと操作ノブ１の側壁１ｍ、１ｈとを面接触させて、局所的に線接触する部分を形成してもよい。
【００５６】
さらに、上記実施形態では、パワーウインドウシステムで使用されるスイッチ装置１００のウインドウスイッチＷに本発明を適用した例を示したが、本発明はドアロックスイッチＤに対しても適用することができる。また、車載以外の用途に用いられるスイッチ装置にも、本発明は適用することができる。
【符号の説明】
【００５７】
１    操作ノブ
１ｂ、１ｆ  操作ノブの揺動面に対して垂直な操作ノブの側壁
１ｈ、１ｍ  操作ノブの揺動面に対して平行な操作ノブの側壁
１ｓ  節度部
２    筒
２ａ  筒の上端の開口
２ｂ、２ｆ  操作ノブの揺動面に対して垂直な筒の側壁
２ｚ  制限壁
２ｈ、２ｍ  操作ノブの揺動面に対して平行な筒の側壁
２ｊ  軸
３    プランジャ
６ａ、６ｂ、６ｃ  可動接点
７ａ、７ｂ、７ｃ、７ｄ、７ｅ  固定接点
１０  容器
１００  スイッチ装置
Ｌ    軸の水平中心線
【図１】
2013178973.tif 000003
【図２】
2013178973.tif 000004
【図３】
2013178973.tif 000005
【図４】
2013178973.tif 000006
【図５】
2013178973.tif 000007
【図６】
2013178973.tif 000008
【図７】
2013178973.tif 000009
【図８】
2013178973.tif 000010
【図９】
2013178973.tif 000011
【図１０】
2013178973.tif 000012
【図１１】
2013178973.tif 000013